(57)【要約】【課題】提灯を立体視用合成画像シートにレンチキュラー板を貼付した立体図柄表示体で装飾すること及び立体視用合成画像シートの画像を侵されることがない立体図柄表示体を製作することである。【解決手段】視差を有する立体視用合成画像シート２と樹脂製の薄い透明なフィルム４を両面テープ５で接合し、フィルム４とレンチキュラー板３のシリンドリカル面３ａに構成された面とは反対側の面とを透明な樹脂製の接着剤６で接合するとともに、立体視用合成画像シート２と同じ大きさに切った両面テープ５の片面のテープを剥がして該立体視用合成画像シート２背面に貼付した立体図柄表示体１を製作しておき、立体図柄表示体１の背面のテープ５ａを剥がして、提灯Ａの装飾したい箇所に貼り付ける。【選択図】　　　　図５
2004022473.tif 000002
【特許請求の範囲】
【請求項１】
受け台及び受け台の下方側に複数の支持足を取り付け、受け台の上方側に上端部に取っ手を配置した長足を取り付け、該受け台に火袋の下輪を固定し、長足の上方部に火袋の上輪を固定し、下輪と上輪に至る間にプラスチック製等の火袋を配置してなる提灯において、前記支持足、取っ手、火袋のそれぞれ表面に、視差を有する複数の原画それぞれが、レンチキュラー板のレンズピッチで分解し、分解された右眼用画像と左眼用画像を１レンズピッチごとに圧縮配列して合成した立体視用合成画像シートを貼付し、この立体視用合成画像シートの上面に、凸レンズが並設してなるレンチキュラー板を接合した立体図柄表示体を貼付するように構成したことを特徴とする提灯。
【請求項２】
上記立体図柄表示体を構成する立体視用合成画像シートとレンチキュラー板とが、透明な樹脂フィルムを介して接合されるように構成したことを特徴とする請求項１記載の提灯。
【請求項３】
上記立体図柄表示体の背面に粘着層を覆う剥離可能なシートを貼付するように構成したことを特徴とする請求項１記載の提灯。
【発明の詳細な説明】
【０００１】
【発明が属する技術分野】
本発明は、複数の支持足を配置して仏壇や祭壇の周辺の床に置かれる提灯の装飾に関するものであり、より詳しくは、前記提灯の装飾の立体視に関する。
【０００２】
【従来の技術】
まず、複数（３本）の支持足７によって床に置かれる提灯Ａの構成を説明する。それぞれの支持足７の略中間位置と上方端にそれぞれ嵌合片を設け、前記支持足７の略中間位置の内側に設けた嵌合片を三つ又８の穿設口に嵌合固定させ、そして支持足７のそれぞれ上方端に設けたの嵌合片を、プレート９に設けた貫通孔を介して、受け台１０の下方に設けた嵌入口に嵌合固定する。プレート９及び受け台１０は平面形状が円形で、プレート９の直径が受け台１０の直径よりやや長く形成されている。組み合わせられた三本の支持足７の上に薄い厚みのプレート９が位置し、該プレート９上に厚みのある受け台１０が載置固定される。支持足７に載置固定された受け台１０の対称位置において二つの貫通穴を対称の位置に設ける。貫通穴のそれぞれに長足１１を前記プレート９に達するまで嵌入する。長足１１は受け台１０の貫通穴に嵌入することで支持される。
【０００３】
火袋１２の下輪１２ｂ及び上輪１２ａの直径は、受け台１０に支持された二本の長足１１間の距離より長く構成されており、火袋１２の下輪１２ｂ及び上輪１２ａの中に二本の長足１１を位置させる。そして、火袋１２の下輪１２ｂ下端部を前記プレート９上に載置させ、受け台１０の周壁１８ｂと受け台１０の周壁１８ｂと重なった下輪１２ｂをネジ（図示せず）で固定する。火袋１２の上輪１２ａは長足１１の上方においてネジで固定する。そして、取っ手１３の把手部分１３ａに設けた嵌合片を長足１１の貫通孔に嵌合させ、長足１１に取っ手１３を固定する。
【０００４】
また、プレート９、受け台１０の中心部にそれぞれソケット１４を上向きに固定するためと該ソケット１４につながる電線１５を通すための貫通孔が設けられる。受け台１０の貫通孔にほぼ垂直に固定されるソケット１４に電球１６を入れる。電球１６にワイヤ製の支持体１７を被せる。支持体１７は、被せた電球１６の真上に伸びる支持部１７ａと該支持部１７ａの下端部で繋がった二つの楕円形部分が電球１６の側面にそれぞれ接する保持部１７ｂからなり、支持体１７の支持部１７ａに周壁１８ｂ部分が透光性を有するビニール等を貼り合わせた回転筒１８の上壁１８ａ中央部に設けた凸部１８ａ’を載置する。回転筒１８の上壁１８ａには図示はしないが複数の溝が形成されており、電球１６の熱で回転筒１８内の空気が暖められて上昇し、この上昇した空気が複数の溝から回転筒１８外に出るようにし、これを利用して回転筒１８が回転する。透光性を有する前記回転筒１８の周壁１８ｂを複数の色に着色して該回転筒１８を回転させることによって、火袋１２中央部分に設けた図柄に複数の色（青、緑等の色）を投光している。
【０００５】
提灯Ａは、上記のように、火袋１２に図柄等設けておき、これを内部から複数の色で投光、照明するほか、合成樹脂製の提灯Ａの長足１１、取っ手１３部分については、立体的な図柄等が施せるように成形型を加工し、立体的に成形された長足１１、取っ手１３部分に複数の色を着色している。
【０００６】
【発明が解決しようとする課題】
しかしながら、従来の提灯は、火袋に図柄を描き、図柄の内側から複数の色を投光しているのみであり立体感がない。また、長足、取っ手においては立体的な図柄を施しているが、成形型を加工するため、加工に多くの費用が必要であり、多くの種類の図柄を作成するためには専用の成形型を作成しなければならず、製品のコストアップにつながる不具合があった。
【０００７】
【課題を解決するための手段】
上記課題を解決するため本発明が採用した手段を以下に説明する。本発明請求項１記載の提灯は、「受け台及び受け台の下方側に複数の支持足を取り付け、受け台の上方側に上端部に取っ手を配置した長足を取り付け、該受け台に火袋の下輪を固定し、長足の上方部に火袋の上輪を固定し、下輪と上輪に至る間にプラスチック製等の火袋を配置してなる提灯において、前記支持足、取っ手、火袋のそれぞれ表面に、視差を有する複数の原画それぞれが、レンチキュラー板のレンズピッチで分解し、分解された右眼用画像と左眼用画像を１レンズピッチごとに圧縮配列して合成した立体視用合成画像シートを貼付し、この立体視用合成画像シートの上面に、凸レンズが並設してなるレンチキュラー板を接合した立体図柄表示体を貼付するように構成したことを特徴とする提灯」である。
【０００８】
「立体視用合成画像シート」とは、移動するカメラによって静止した被写体を断続的に撮影したり、固定したカメラによってターンテーブル上で回転する被写体を断続的に撮影したり、多眼レンズを有するカメラを用いて、一度に静止した被写体を多方面から撮影する方法によって得られる視差を有する（水平方向での視差、時間差による偏位）複数枚の原画像を、それぞれレンチキュラー板を介してその平坦面に設けた感光フィルムに僅かずつ変位させながら写真的手法によって合成したシートである。また、近時は、立体視用合成画像シートをコンピュータ・グラフィックスによりデジタル合成して得る。
【０００９】
本発明請求項２記載の提灯は、「立体図柄表示体を構成する立体視用合成画像シートとレンチキュラー板とが、透明な樹脂フィルムを介して接合されるように構成したことを特徴とする請求項１記載の提灯」である。
【００１０】
「立体視用合成画像シートとレンチキュラー板とが、透明な樹脂フィルムを介して接合される」とは、立体視用合成画像シートとフィルムを接着し、フィルムとレンチキュラー板を接着し、立体視用合成画像シートにレンチキュラー板を直接接着しないことである。立体視用合成画像シートにレンチキュラー板を接着すると、立体視用合成画像シート（印画紙）の乳剤面上に接着剤を塗布し、その上にレンチキュラー板をのせて、気泡が入らないように圧接し、接着剤が硬化するまで放置しなければならない。立体視用合成画像シートに接着剤を直接塗布すると合成画像が変色したり退色したりする。このため立体視用合成画像シートとフィルムは両面テープで接合する。フィルムとレンチキュラー板は樹脂製の接着剤で接合する。
【００１１】
前記フィルムと立体視用合成画像シートの乳剤面とは粘着性が高く、ドライラミネートによる圧着によっても容易に接合する。また、フィルム（樹脂）と接着剤（樹脂）とは接着力が強く、しかも短時間で硬化する。
【００１２】
本発明請求項３記載の提灯は「立体図柄表示体の背面に粘着層を覆う剥離可能なシートを貼付するように構成したことを特徴とする請求項１記載の提灯」である。
【００１３】
「立体図柄表示体の背面に粘着層を覆う剥離可能なシートを貼付する」とは、立体図柄表示体を構成する立体視用合成画像シートの背面に、粘着層を均一に塗布しておき、粘着層の背面に剥離可能なシートで全体が覆われていることである。例えば、両面テープの片面側を剥がして立体視用合成画像シートに接合させ、立体図柄表示体を貼付する場合には、このテープを剥がして使用することである。
【００１４】
【発明の実施の形態】
以下に、この発明の実施の形態を図面に基づいて説明する。図１は提灯の全体を表す正面図、図２は火袋を外した提灯の正面図、図３はレンチキュラー板によって立体視ができる原理を説明する概念図、図４は本発明の提灯を装飾する立体図柄表示体の斜視図、図５は本発明の立体図柄表示体の構成図である。
【００１５】
まず、提灯Ａを立体画像によって装飾する立体図柄表示体１の説明を図３及び図４によっておこなう。３はレンチキュラー板であり、シリンドリカル（円筒型）な形状をしたシリンドリカル面３ａを一方の面に有しており、それが縦に多く並んで面となっている。また、レンチキュラー板３のシリンドリカル面３ａと反対側、すなわち見る人から反対側には、少なくとも左右の２像、またはそれより多くの方向から撮影された視差のある画像を線状に圧縮した１枚の画像が形成されているフィルム状の立体視用合成画像シート２を配置している。
【００１６】
なお、図３中、ｒはシリンドリカル面３ａの曲率半径、ｐはレンズピッチを示す。人間の目は左右に約６５ｍｍ離れていることから、レンチキュラー板３を通して左右別々に視差のある画像を見ることにより立体感を得ることができる。図３は画像が２つ（α：右眼用収束画像、β：左眼用収束画像）の場合であるが、画像が２つ以上の場合でもよいことは当然である。立体視用合成画像シート２に形成されている、左右２つの方向から撮影された視差のある２つの画像を線状に圧縮して合成した１枚の画像は、レンチキュラー板３によってレンズピッチｐの幅でそれぞれ集光され、この集光された画像が、左眼、右眼に到達して人は立体画像を見ることができる。
【００１７】
本発明の提灯Ａの装飾をする立体図柄表示体１は、立体図柄表示体１を構成する立体視用合成画像シート２とレンチキュラー板３を互いに強固に接合するため及び接着剤が立体視用合成画像シート２の画像を侵して変色や退色を防ぐため、立体視用合成画像シート２と、両面テープ５と、樹脂製の薄い透明フィルム４と、樹脂製の透明の接着剤６と、レンチキュラー板３とを図５に示すように接合する。立体視用合成画像シート２と透明のフィルム４とは、両面テープ５を介さずドライラミネートにより接合してもよい。
【００１８】
粘着層の両面側に剥離可能なテープを配してなる両面テープ５を、立体図柄表示体１と同じ大きさに切った後、両面テープ５の片面側のテープを剥がして立体図柄表示体１の最も背面側である立体視用合成画像シート２の背面側と接合する。提灯Ａの支持足７、取っ手１３、火袋１２と立体図柄表示体１との接合は両面テープ５の残ったテープ５ａを剥がしておこなう。
【００１９】
【発明の効果】
本発明は上記のように構成したので、提灯を装飾する図柄が立体視できる。また、提灯の各部品で平面に形成された任意の箇所に、立体図柄表示体の背面についているテープを剥がして、該立体図柄表示体を貼るだけで提灯に装飾を施すことができる。従って、提灯の制作コストが低減できるとともに、極めて短時間で制作を行うことができるようになった。また、立体図柄表示体の製作時に接着剤で変色や退色を起こしてしまうことを回避できる。
【図面の簡単な説明】
【図１】提灯の全体を表す正面図である。
【図２】火袋を外した提灯の正面図である。
【図３】レンチキュラー板によって立体視ができる原理を説明する概念図である。
【図４】本発明の提灯を装飾する立体図柄表示体の斜視図である。
【図５】本発明の立体図柄表示体の構成図である。
【符号の説明】
Α；提灯、１；立体図柄表示体、２；立体視用合成画像シート、３；レンチキュラー板、３ａ；シリンドリカル面、４；フィルム、５；両面テープ、５ａ；テープ、６；接着剤、７；支持足、８；三つ又、９；プレート、１０；受け台、１１；長足、１２；火袋、１２ａ；上輪、１２ｂ；下輪、１３；取っ手、１３ａ；把手部分、１４；ソケット、１５；電線、１６；電球、１７；支持体、１７ａ；支持部、１７ｂ；保持部、１８；回転筒、１８ａ；上壁、１８ａ’；凸部、１８ｂ；周壁、ｒ；曲率半径、ｐ；レンズピッチ、α；右眼用収束画像、β；左眼用収束画像。
【図１】
2004022473.tif 000003
【図２】
2004022473.tif 000004
【図３】
2004022473.tif 000005
【図４】
2004022473.tif 000006
【図５】
2004022473.tif 000007